(57)【特許請求の範囲】
【請求項１】
外側に折返された折返し部が一端側に形成された帯状部材を備え、前記帯状部材を被締付物に巻付け、前記折返し部に前記帯状部材の他端部を重ね合わせて、前記被締付物を締め付ける締付金具であって、
前記折返し部の先端部に、２つの係止爪部が突設され、
前記他端部の先端部に、前記係止爪部の間隔より幅が狭い狭小部を有し、前記狭小部を前記係止爪部の間に通すことにより前記係止爪部に係止される係止凸部が突設され、
前記折返し部と前記折返し部に重ね合わされた前記他端部とを、前記折返し部の内面に対向する内側重合部に固定する固定部材が、設けられ、
前記折返し部には、中途部の両側縁部に、外方に向かって起立するガイド爪部が設けられていることを特徴とする締付金具。
【発明の詳細な説明】
【０００１】
【発明の属する技術分野】
本発明は、ホース、自動車のドライブシャフトブーツ等の接続部分を締付けるための締付金具に関する。
【０００２】
【従来の技術】
従来から締付金具においては、被締付物を容易に締付可能とするための種々の工夫が行われていた。特に、自動車のドライブシャフトブーツ用締付金具においては、車体の下面の狭い空間において締付作業が行われるため、装着の容易性が要求されていた。
【０００３】
かかる問題を解決するための締付金具としては、特開平９−６０６５１号公報に示すものが知られていた。この公報の締付金具は、図８に示すように、バンド１０９の一端側１０９ａに折返片部１１０を形成し、折返片部１１０の先端に突起１１４を設け、折返片部１１０と重なる下側重合部１０９ｃに、折返片部１１０に設けられた挿通孔１１３を介して上方へ突出する係止爪片１１２を突設し、バンド１０９の他端側１０９ｂには、突起１１４に係合する係合孔１１７と、係止爪片１１２が挿通される通孔１１５を設けていた。
【０００４】
そして、バンド１０９をドライブシャフトブーツに周回させ、両端側１０９ａ、１０９ｂを重ね合わせて、係合孔１１７を突起１１４に係合させ、挿通孔１１３を介して突出した係止爪片１１２を通孔１１５に挿通させ、係止爪片１１２を抜脱不能に折り曲げることにより、ドライブシャフトブーツを締付固定していた。
【０００５】
【発明が解決しようとする課題】
しかし、上記公報の締付金具においては、係止爪片１１２が挿通孔１１３から抜脱しないように保持しつつ、突起１１４を係合孔１１７に係合させるとともに、係止爪片１１２を通孔１１５に挿通しなければならず、通孔１１５が小径であることとも相まって、これらの挿通や係合が容易ではなはなかった。このため、依然、装着が容易でないという問題があった。
【０００６】
この発明は、上述した問題を解決するものであり、装着が容易な締付金具を提供することを目的とする。
【０００７】
【課題を解決するための手段】
本発明の締付金具は、外側に折返された折返し部が一端側に形成された帯状部材を備え、前記帯状部材を被締付物に巻付け、前記折返し部に前記帯状部材の他端部を重ね合わせて、前記被締付物を締め付ける締付金具であって、前記折返し部の先端部に、２つの係止爪部が突設され、前記他端部の先端部に、前記係止爪部の間隔より幅が狭い狭小部を有し、前記狭小部を前記係止爪部の間に通すことにより前記係止爪部に係止される係止凸部が突設され、前記折返し部と前記折返し部に重ね合わされた前記他端部とを、前記折返し部の内面に対向する内側重合部に固定する固定部材が、設けられ、前記折返し部には、中途部の両側縁部に、外方に向かって起立するガイド爪部が設けられていることを特徴とする。
【００１３】
【発明の実施の形態】
以下、本発明の実施形態について、図面に基づいて説明する。
【００１４】
図１に示すように、本発明の第１実施形態である締付金具Ｓは、帯状部材１と固定部材４とから構成され、帯状部材１は、略Ｃ字形状に形成された帯状板ばね製のバンド２と、略矩形状の金属板を湾曲させることにより形成された連結片３とから構成されている。バンド２、連結片３、及び、固定部材４は、いずれもステンレス鋼等の金属製である。そして、バンド２と連結片３とは、略同一幅に形成されているが、連結片３はバンド２より厚手に形成されている。
【００１５】
連結片３は、バンド２の一端部２１からバンド２の周方向（すなわち、長手方向）に延設されている。詳しくは、一端部２１の外面（ここでは、折返し前における外面）と連結片３の凸面とが接するように、連結片３は一端部２１に中途まで重ねられて、スポット溶接により固着されている。そして、一端部２１を、連結片３と共に、折返し位置２ａで外側に折返すことにより、帯状部材１の一端側１ａには、一端部２１と連結片３とからなる折返し部１１が形成されている。
【００１６】
なお、折返すとは、締付金具Ｓのように、折返し部分が略Ｖ字形状あるいは略Ｕ字形状をなし、折返し部１１と、折返し部１１内面に対向するバンド２の部分（すなわち、図５に示すように、締付金具Ｓの装着状態において、折返し部１１内面に重なる部分）である内側重合部２３と、が少し離間した状態まで折返す場合を含むものとする。
【００１７】
連結片３の先端部３ａ（すなわち、折返し部１１の先端部）には、先端部３ａを先端側から切欠くことにより、２つの係止爪部３１、３１が突出形成され、係止爪部３１、３１は、連結片３の長手方向における先端側延長方向に対して鋭角をなすように、外側に折曲されている。
【００１８】
また、連結片３の中途部３ｂ（すなわち、折返し部１１の中途部）には、両側縁部に、外方に向かって起立するガイド爪部３２、３２が、互いに対向するように設けられている。すなわち、中途部３ｂには、略矩形状のガイド爪部３２、３２が両側から突出形成され、中途部３ｂの幅方向の断面が略コ字形状をなすように、これらガイド爪部３２、３２は、略直角に外側に折曲されている。
【００１９】
固定部材４は、略矩形状金属板の両側部を互いに対向するように略直角に折曲することにより、断面が略コ字形状に形成されている。そして、固定部材４は、バンド２を跨ぐように、内側重合部２３内面にスポット溶接により固着され、両側部が内側重合部２３の両側から外方へ突出して、固定爪部４１、４１をなしている。すなわち、略矩形状の固定爪部４１、４１が、バンド２を挟むように、内側重合部２３の両側から外方に向かって起立することとなる。また、固定部材４は、係止爪部３１、３１やガイド爪部３２、３２に当たらないように、内側重合部２３において、係止爪部３１、３１とガイド爪部３２、３２との間に対向する位置に固着される。
【００２０】
帯状部材１の他端部１２（すなわち、バンド２の他端部）の先端部には、略Ｔ字形状の係止凸部２５が形成されている。詳しくは、他端部１２の先端より少し手前の部分を両側から切欠くことにより、係止爪部３１、３１の間隔より僅かに幅が狭い狭小部２５ａが形成され、狭小部２５ａより先の部分が係止片部２５ｂとされて、これら狭小部２５ａと係止片部２５ｂとにより係止凸部２５が形成されている。なお、係止片部２５ｂは、バンド２の幅をそのまま有しているので、係止爪部３１、３１の間隔より幅広となっている。そして、狭小部２５ａは、バンド２の周方向における断面が略く字形状をなすように、内側に少し折曲されている。
【００２１】
また、図６に示すように、バンド２の折返し位置２ａから、折返し部１１と他端部１２とを重ね合わせた場合に折返し位置２ａに重なる位置２ｂまでの長さは、被締付物５の被締付部位の外周長さに略一致するように形成されている。
【００２２】
上記のように構成された締付金具Ｓの装着方法について、次に説明する。まず、図２に示すように、被締付物５を被接続物６に被せるように接続し、この接続部分外周に締付金具Ｓを巻付ける。そして、図３に示すように、折返し部１１外面に他端部１２を重ねるようにして帯状部材１を縮径し、係止爪部３１、３１の間に狭小部２５ａを通す。このとき、図４に示すように、狭小部２５ａを、係止爪部３１、３１の先端３１ａ、３１ａ間の開放部分から、係止爪部３１、３１間に入れれば良い。すると、係止片部２５ｂは係止爪部３１、３１の内側に配置される。そして、係止片部２５ｂは係止爪部３１、３１間より幅広であるので、拡径方向に締付金具Ｓを引っ張っても、係止片部２５ｂは係止爪部３１、３１に引っ掛かって係止されることとなる。
【００２３】
そして、折返し部１１と他端部１２とを重ね合わせるが、このとき、図４に示すように、ガイド爪部３２、３２間に他端部１２を配置すれば、他端部１２の両側縁がガイド爪部３２、３２に沿うこととなり、自然に折返し部１１と他端部１２とが重なり合う。しかも、他端部１２の横ずれ（幅方向のずれ）が、ガイド爪部３２、３２に阻止される。
【００２４】
この折返し部１１と他端部１２とを重ね合わせた状態で、図５に示すように、折返し部１１内面と内側重合部２３とを重ね合わせ、固定爪部４１、４１を互いに向き合うように折曲して、折返し部１１と他端部１２とを内側重合部２３に固定する。この結果、図６に示すように、締付金具Ｓは被締付物５に装着され、締付金具Ｓによって被締付物５は締付けられて、被接続物６からの抜脱が防止される。
【００２５】
上記したように、締付金具Ｓでは、係止爪部３１、３１間に狭小部２５ａを通せば、係止凸部２５が係止爪部３１、３１に係止される。このとき、係止爪部３１、３１の先端３１ａ、３１ａ間の開放部分から狭小部２５ａを入れれば良いので、小孔に挿通する場合のような困難がなく、容易に折返し部１１と他端部１２とを係止することができる。
【００２６】
また、ガイド爪部３２、３２間に他端部１２を配置することにより、ガイド爪部３２、３２に沿って自然に他端部１２が折返し部１１と重なり合い、横ずれが発生しない。したがって、容易に折返し部１１と他端部１２とを重ね合わせて固定することができる。
【００２７】
また、係止爪部３１、３１が外側に折曲されているので、係止爪部３１、３１の先端３１ａ、３１ａが外側を向くこととなり、先端３１ａ、３１ａ間の開放部分から狭小部２５ａを入れ易い。したがって、折返し部１１と他端部１２との係止が更に容易となる。
【００２８】
なお、狭小部２５ａは、必ずしも本実施形態のように内側に折曲させる必要はないが、狭小部２５ａを内側に折曲したものとすれば、狭小部２５ａが係止爪部３１、３１間にしっかりと掛かることとなり、係止凸部２５が係止爪部３１、３１から、よりはずれにくくなる。
【００２９】
次に、本発明の第２実施形態である締付金具Ｓ１について、図７に基づいて説明する。なお、締付金具Ｓ１の各部分の符号は、対応する締付金具Ｓの各部分の符号と同じものを用いる。締付金具Ｓ１の図７に表れていない部分は、締付金具Ｓと同様に構成されている。
【００３０】
締付金具Ｓ１では、図７に示すように、係止爪部３１、３１は、外側に折曲されることなく、連結片３の長手方向における先端側延長方向にそのまま突出している。そして、係止凸部２５の狭小部２５ａは、内側に略直角に折曲されている。この狭小部２５ａを係止爪部３１、３１の間に通して、係止片部２５ｂを係止爪部３１、３１の内側に配置すれば、係止凸部２５は係止爪部３１、３１に係止される。このように、係止爪部３１、３１を外側に屈曲しなくても、狭小部２５ａを内側に適宜屈曲することにより、係止凸部２５が係止爪部３１、３１に係止されるように構成することができる。そして、締付金具Ｓ１においても、係止爪部３１、３１の先端３１ａ、３１ａ間から狭小部２５ａを入れれば、係止凸部２５は係止爪部３１、３１に係止されるので、小孔に挿通する場合のような困難はなく、係止が容易である。
【００３１】
また、締付金具Ｓ１では、連結片３にガイド爪部が設けられていないが、折返し部１１と他端部１２との重ね合わせを、横ずれしないように締付作業者が挟持して固定爪部４１、４１により固定すればよい。このように、ガイド爪部は設けなくてもよいが、ガイド爪部を設ければ、上述したように横ずれの発生を防止できる。
【００３２】
また、上記した第１、第２実施形態は、いずれも、帯状部材１をバンド２及び連結片３の２つの部材により構成しているが、帯状部材１を１つの部材から構成してもよい。例えば、バンド２の一端部２１の先端部に係止爪部３１、３１を直接形成し、その一端部２１を折返してそのまま折返し部１１とすることにより、バンド２のみにより帯状部材１を構成してもよい。但し、第１、第２実施形態のように、帯状部材１を、バンド２と、バンド２より厚手の連結片３とにより構成し、バンド２の一端部２１を連結片３と共に折返して折返し部１１を形成すれば、折返し部１１が厚手となるので、折返し部１１や係止爪部３１、３１の強度を向上させることができる。
【００３３】
また、係止凸部２５を係止片部２５ｂを有しない構成とすることもできる。例えば、長めに形成した狭小部２５ａの先端側を略Ｕ字形状に内側に折返したものにより係止凸部２５を構成しても、狭小部２５ａの折返し部分を係止爪部３１、３１間に通すことにより係止凸部２５が係止爪部３１、３１に係止されるように構成できる。但し、第１、第２実施形態のように、係止爪部３１、３１の間隔より幅広の係止片部２５ｂを、狭小部２５ａの先端側に続けて設ければ、係止凸部２５が係止爪部３１、３１から、よりはずれにくくなる。
【００３４】
また、固定部材４も第１、第２実施形態のような構成に限らず、例えば、帯状部材１の内側重合部２３に、固定爪部４１、４１を両側縁から突出するように一体形成し、それらの固定爪部４１、４１を固定部材４としてもよい。要するに、固定部材４は、折返し部１１と他端部１２とを内側重合部２３に固定できるような構成のものであればよく、帯状部材１と別体であっても一体であってもよい。
【００３５】
すなわち、特許請求の範囲を逸脱しない範囲で構成は自由に変更できる。
【００３６】
【発明の効果】
本発明の締付金具は、帯状部材の一端側に、外側に折返された折返し部を形成し、折返し部の先端部に２つの係止爪部を突設し、他端部の先端部に、狭小部を係止爪部の間に通すことにより係止爪部に係止される係止凸部を設けたので、係止爪部の先端間の開放部分から狭小部を入れて係止爪部間に通すことにより、係止凸部が係止爪部に係止される。したがって、装着が容易である。
【００３７】
また、係止凸部に、係止爪部の間隔より幅広の係止片部を、狭小部の先端側に続けて設ければ、係止凸部が係止爪部から、よりはずれにくくなる。
【００３８】
また、折返し部の中途部の両側縁部に、外方に向かって起立するガイド爪部を設ければ、ガイド爪部間に他端部を配置することにより、自然に他端部が折返し部と重なり合い、横ずれを防止できることとなり、装着が更に容易となる。
【００３９】
また、係止爪部を外側に折曲すれば、係止爪部の先端が外側を向くこととなり、先端間の開放部分から係止爪部間に狭小部を入れ易くなり、装着が更に容易となる。
【００４０】
また、狭小部を内側に折曲すれば、係止凸部が係止爪部から、よりはずれにくくなる。
【図面の簡単な説明】
【図１】本発明の一実施形態の締付金具の斜視図である。
【図２】図１の締付金具の装着方法を説明するための図である。
【図３】図１の締付金具の装着方法を説明するための図である。
【図４】図１の締付金具の装着方法を説明するための部分斜視図である。
【図５】図１の締付金具の装着方法を説明するための部分斜視図である。
【図６】図１の締付金具の装着方法を説明するための図であり、装着完了状態を示す。
【図７】本発明の他の実施形態の締付金具の部分斜視図である。
【図８】従来の締付金具の斜視図である。
【符号の説明】
１…帯状部材
１ａ…一端側
４…固定部材
５…被締付物
１１…折返し部
１２…他端部
２３…内側重合部
２５…係止凸部
２５ａ…狭小部
２５ｂ…係止片部
３１…係止爪部
３２…ガイド爪部
４１…固定爪部
Ｓ、Ｓ１…締付金具
【図１】
0003919521.tif 000002
【図２】
0003919521.tif 000003
【図３】
0003919521.tif 000004
【図４】
0003919521.tif 000005
【図５】
0003919521.tif 000006
【図６】
0003919521.tif 000007
【図７】
0003919521.tif 000008
【図８】
0003919521.tif 000009